(57)【要約】      （修正有）【課題】小さく形成されたカーリングストーンを滑走させることにより、本物のカーリングとほぼ同様に主として室内などでカーリング競技を簡易に楽しめるようにしたカーリング遊戯具を提供する。【解決手段】発泡合成樹脂からなる複数枚の短尺な矩形の単位路板１ａ〜１ｆを継手を介して前後一連に接続して縦長長尺に形成されたストーン滑走路板１と、前記ストーン滑走路板の表面にその後端から前端にかけて着脱自在に添着され、表面摩擦抵抗の極めて小さい柔軟な布とからなることを特徴としてカーリング遊戯具を形成する。【選択図】図１
0003175301.tif 000002
【実用新案登録請求の範囲】
【請求項１】
発泡合成樹脂からなる複数枚の短尺な矩形の単位路板を継手を介して前後一連に接続して縦長長尺に形成されたストーン滑走路板と、前記ストーン滑走路板の表面にその後端から前端にかけて着脱自在に添着され、表面摩擦抵抗の極めて小さい柔軟な布とからなることを特徴とするカーリング遊戯具。
【考案の詳細な説明】
【技術分野】
【０００１】  本考案は、主として室内などにおいて、本物のカーリングにほぼ近い感覚で氷上でない長尺な板上において本物よりもかなり小さく形成されたカーリングストーンを滑走させることにより、本物のカーリングとほぼ同様にカーリング競技を簡易に楽しめるようにしたカーリング遊戯具に関するものである。
【背景技術】
【０００２】  従来、室内のフロアーやテーブル上に表面摩擦抵抗が小さい縦長の板体又はシートを貼着し、本物よりもかなり小さく形成されたカーリングストーンを滑走させることにより、本物のカーリングとほぼ同様のルールでカーリング競技を楽しめるようにしたカーリング遊戯具が知られている。【０００３】  この遊戯具ではストーンを滑走させるための縦長板体全体が一体に成型されているため、長尺なものでは重量が重く、持ち運びや移動に不便でほとんど定位置に固定的に設置して使用せざるを得ず、その設置場所が限定されるという問題があった。【０００４】  また、テーブル上に表面摩擦抵抗が小さい縦長のシート（敷物）を敷設し、本物よりもかなり小さく形成されたカーリングストーンを滑走させることにより、本物のカーリングとほぼ同様のルールでカーリング競技を楽しめるようにしたカーリング遊戯具も知られている。【０００５】  この遊戯具ではシートを丸めて持ち運べるため、持ち運びには便利であるが、屈曲自在であるためシートを広げたとき湾曲部分や凸凹が残ったり、シートがずれやすいなどの問題があり、また丸めるシートでは中央から周縁にかけて平坦であるため、カーリング競技の際にストーンがシート外に脱落しやすいという問題があった。【０００６】  さらに、シートでは使用につれて汚れや傷あるいは皺などが付き、表面摩擦抵抗が増してストーンが滑りにくくなるという問題もあった。
【先行技術文献】
【特許文献】
【０００７】
【特許文献１】特開平６−１５４３６９号公報
【特許文献２】特開２０００−３１７０２７号公報
【考案の概要】
【考案が解決しようとする課題】
【０００８】  解決しようとする問題点は、遊戯具の持ち運びや移動に不便で、長期使用時の耐久性に劣る点である。
【課題を解決するための手段】
【０００９】  本考案は、遊戯具が非常に軽量でコンパクトに分解して持ち運ぶことができ、しかも安定して設置することができると共に、長期使用時にも耐久的に使用可能であることを最も主要な特徴とする。
【考案の効果】
【００１０】  本考案のカーリング遊戯具は、ストーンの滑走路面が発泡合成樹脂板と布とから構成されているため、遊戯具として非常に軽量で、かつコンパクトに分解して持ち運ぶことができ、また組み立ても簡単で長尺な滑走路を場所を選ばずに安定して設置することができる。【００１１】  また、ストーンの滑走路板の表面が柔らかで摩擦抵抗の少ない布で覆われているため、発泡合成樹脂板が痛みにくく、しかもその発泡合成樹脂板の継ぎ目に多少の凹凸ができてもストーンを抵抗無くスムースに滑走させることができ、また長期使用時に表面の布に汚れが付いたり痛んだときにも容易に交換できるため、耐久的に使用可能であるという利点がある。
【図面の簡単な説明】
【００１２】
【図１】本考案のストーン滑走路板の平面図である。（実施例１）
【図２】本考案のストーン滑走路板の正面図である。
【図３】本考案のストーン滑走路板の継手部分を示す部分平面図である。
【図４】本考案のストーン滑走路板に布の先端を止め付けた状態を示す部分断面図である。
【図５】この考案に用いるストーンの側面図である。
【考案を実施するための形態】
【００１３】  軽量コンパクトに分解して持ち運ぶことができ、しかも安定して設置することができると共に、長期使用時にも耐久的に使用可能とするという目的を、ストーン滑走路板を複数枚の短尺発泡合成樹脂版を縦長に連結し、その表面に摩擦抵抗の小さい柔軟な布を添着することで実現した。
【実施例１】
【００１４】  図１は、本考案の１実施例を示すストーン滑走路板１の平面図であって、発泡合成樹脂からなる複数枚（本例では６枚）の短尺な矩形の単位路板１ａ〜１ｆを前後一連に接続して縦長長尺（本例では３ｍ６０ｃｍ）に形成されている。【００１５】  最前部の単位路板１ａにはその表面の中間部に同心円で三重丸として描かれた得点的２が表示され、また先端部にオーバーランしてきたストーン３を受け止めるための凹部４が設けられている。【００１６】  また最前部の単位路板１ａには、凹部４の後端に近接して幅方向に横長の細長スリット５が設けられ、さらにその裏面には幅方向に横長の細長凹溝６が設けられている。【００１７】  単位路板１ａ〜１ｆの内、前方側に位置する少なくとも４枚の単位路板１ａ、１ｂ、１ｃ，１ｄには、それらの側縁にストーン３を受け止めてクッションとして跳ね返すための側壁７が設けられ、さらに最前部の単位路板１ａの先端縁にオーバーランしたストーン３の飛び出しを防止するための側壁７が設けられている。【００１８】  ストーン滑走路板１の表面には、その後端から前端にかけて表面摩擦抵抗の極めて小さい柔軟な布８（例えば、ポリエステルからなる目の極細かい織布）が緊張状態で着脱自在に添着されており、この布８の後端部は面ファスナーなどで着脱自在に止着され、さらに図４に示すように先端部はここに取り付けたロッド９を単位路板１ａのスリット５を通して細長凹溝６に嵌め込むことにより、着脱自在に止着されている。【００１９】  なお、布８の先端及び後端の止着手段は緊張状態を保持して着脱自在に止着できる手段であればいかなる手段でもよい。【００２０】  単位路板１ａ〜１ｆには、図３に示すようにそれぞれ隣接する単位路板同士を前後に分離しないように接合するための継手１０が形成されており、この継手１０は例えば、各単位路板１ａ〜１ｆの対抗面に逆台形などの互いに噛み合う形に横に所定間隔を置いて複数形成されている。【００２１】  ストーン３は表面を滑らかに磨いた直径６５ｃｍ程度の円盤状石材からなり、その上面には鉤型に形成された持ち手１１が固着されており、底面には滑走抵抗を軽減するための複数の凸部１２が形成されている。【００２２】  以上のように構成されたストーン滑走路板１を用いてカーリング競技を行う際には、切り離されてコンパクトに重ね会わせた状態で持ち運んだ各単位路板１ａ〜１ｆを、一般市販の長机などの上に載せて順次継手１０を介して連結し、さらにその表面に布８を緊張状態で添着する。【００２３】  このようにして設置されたストーン滑走路板１の後部から、ストーン３を本物のカーリングと同様に前方の得点的２に近づけるように滑走させたり、相手のストーン３を弾き飛ばすように滑走させるなどして複数組同士が交互に競技を進める。【００２４】  この場合、本物のカーリング競技ではストーン３の前方の氷面をブラシなどで擦りながらストーン３の滑走方向や速度を調整するが、本考案の遊戯具ではこうしたブラシで擦る作業は行えないので、ストーン３を側壁７に所定の角度で当てるように滑走させ、そのクッションを利用して滑走方向を変えることで様々な場面に対処することができる。
【産業上の利用可能性】
【００２５】  学生や実業団の対抗戦競技として普及が見込まれ、なおかつこれに用いるカーリング遊戯具の製造販売が活発化することが予想される。
【符号の説明】
【００２６】  １    ストーン滑走路板
１ａ〜１ｆ  単位路板
２    得点的
３    ストーン
４    凹部
５    スリット
６    凹溝
７    側壁
８    布
９    ロッド
１０  継手
１１  持ち手
１２  凸部
【図１】
0003175301.tif 000003
【図２】
0003175301.tif 000004
【図３】
0003175301.tif 000005
【図４】
0003175301.tif 000006
【図５】
0003175301.tif 000007